(57)【要約】【課題】居住しながらにして壁や天井の仕上面から身体に有益なホルミシス効果やマイナスイオン効果を得ることができる構築物を提供するものである。【解決手段】低線量領域の放射線、遠赤外線又はマイナスイオンのいずれか或いはそのいくつかを発生する１０ｎｍ乃至１００μｍの超微粒子粉末鉱石を無機系接着剤或いは有害物質を含まない有機系接着剤と混合した接着剤を壁或いは天井のクロス材又は薄い木材の裏面側に直接或いは仕上面側に付着固定し、該クロス材又は薄い木材を構築物の仕上面に仕上材として貼着してなることを特徴とする構築物。【選択図】図２
0003133796.tif 000002
【実用新案登録請求の範囲】
【請求項１】
低線量領域の放射線、遠赤外線又はマイナスイオンのいずれか或いはそのいくつかを発生する１０ｎｍ乃至１００μｍの超微粒子粉末鉱石を無機系接着剤或いは有害物質を含まない有機系接着剤と混合した接着剤を壁或いは天井のクロス材又は薄い木材の裏面側に直接或いは仕上面側に付着固定し、該クロス材又は薄い木材を構築物の仕上面に仕上材として貼着してなることを特徴とする構築物。
【請求項２】
低線量領域の放射線、遠赤外線又はマイナスイオンのいずれか或いはそのいくつかを発生する１０ｎｍ乃至１００μｍの超微粒子粉末鉱石を塗料と混合した塗材を壁或いは天井の仕上面に仕上材として塗着してなることを特徴とする構築物。
【請求項３】
低線量領域の放射線、遠赤外線又はマイナスイオンのいずれか或いはそのいくつかを発生する１０ｎｍ乃至１００μｍの超微粒子粉末鉱石をモルタル、漆喰、石膏等の流動性壁材と混合し、該混合したモルタル、漆喰、石膏等の流動性壁材を壁或いは天井の仕上面に仕上材として塗着してなることを特徴とする構築物。
【考案の詳細な説明】
【技術分野】
【０００１】
本考案は、低線量領域の放射線、遠赤外線及びマイナスイオンのいずれか或いはそのいくつかを発生する超微粒子粉末鉱石を糊等の無機系接着剤或いは有害物質を含まない有機系接着剤と混合したものをクロス材や薄い木材等の裏面側に直接或いは仕上面側に付着固定或いはニスやワックス等と混合した塗材又はモルタル等と混合し、それらを仕上材として仕上面に貼着或いは塗着してなる構築物に関する。
【背景技術】
【０００２】  従来より低線量領域の放射線、遠赤外線及びマイナスイオンを発生する鉱石は知られており、例えば、（公序良俗違反につき、不掲載）のように上記の効能を生じる鉱石上に横臥して癌の治療や身体の活性化を図ることが行われている。この玉川温泉における鉱石からはホルミシス効果を生じる低線量領域の放射線が発生し、それらが身体に好ましい影響を与えており、このことを一般的に岩盤浴と称している。【０００３】  また、（公序良俗違反につき、不掲載）に存在するものと同等の鉱石を塊状或いは砂状となるように破砕又は粉砕し、それらの物質を室内に配置したり、浴槽へ投入したり、飲料水に使用したりし、上記と同様の効果を得ることが試みられている。【０００４】
更に、特開２００６−７５５５５号公報のように、上記破砕或いは粉砕した鉱石をマット状体或いは帯状体等の他の部材と組み合わせ、身体の患部や適宜箇所にそれらを取着することにより上記と同様の効果を得るようにしているものも存在する。
【特許文献１】特開２００６−７５５５５号公報
【考案の開示】
【考案が解決しようとする課題】
【０００５】
上記従来のいずれの手段も簡単に対応できるものではなく、所定の場所に出かけたり、患部等の特定箇所に取着固定する作業等を行わなければならなかった。本考案は、上記欠点を解決したもので、建物内に居住しながらにして身体に有益となるホルミシス効果を得ることを可能とした構築物を提供するものである。
【課題を解決するための手段】
【０００６】
本考案は、上記課題を解決する手段として、低線量領域の放射線、遠赤外線又はマイナスイオンのいずれか或いはそのいくつかを発生する１０ｎｍ乃至１００μｍの超微粒子粉末鉱石を糊等の無機系接着剤或いは有害物質を含まない有機系接着剤と混合した接着剤を壁或いは天井のクロス材又は薄い木材の裏面側に直接或いは仕上面側に付着固定し、該クロス材又は薄い木材を構築物の仕上面に仕上材として貼着してなる構築物を特徴とする。
【０００７】
また、低線量領域の放射線、遠赤外線又はマイナスイオンのいずれか或いはそのいくつかを発生する１０ｎｍ乃至１００μｍの超微粒子粉末鉱石を塗料と混合した塗材を壁或いは天井の仕上面に仕上材として塗着してなる構築物を特徴とする。
【０００８】
更に、低線量領域の放射線、遠赤外線又はマイナスイオンのいずれか或いはそのいくつかを発生する１０ｎｍ乃至１００μｍの超微粒子粉末鉱石をモルタル、漆喰、石膏等の流動性壁材と混合し、該混合したモルタル、漆喰、石膏等の流動性壁材を壁或いは天井の仕上面に仕上材として塗着してなる構築物を特徴とする。
【考案の効果】
【０００９】
本考案の構築物は、構築物の仕上面から身体に有効な低線量領域の放射線、遠赤外線又はマイナスイオン等が常時放射されることになり、それにより身体の細胞が活性化され、血液の循環が良好となる結果、肩こりや腰痛の緩和、自律神経の調整、疲労感の緩和等を得ることが可能となった。
【考案を実施するための最良の形態】
【００１０】
以下、本考案の最良の実施の形態を図面に基づいて説明する。
【実施例１】
【００１１】
本考案の構築物１は、図１及び図２に示すように、壁紙や天井紙或いは壁クロスや天井クロスのような薄手の仕上材（以下、それらをクロス材という）又は薄手のつき板や積層板等の仕上材２（以下、それらを薄い木材という）の裏面側に直接或いは仕上面側に、低線量領域の放射線、遠赤外線又はマイナスイオンのいずれか或いはそのいくつかを発生する鉱石をミクロン単位又はナノ単位の粉末（以下、超微粒子粉末という）鉱石と糊等の無機系接着剤或いは有害物質を含まない有機系接着剤とを混合した接着剤３を付着し、それらを介してクロス材２又は薄い木材２を壁や天井４に貼着した構築物である。
【００１２】
上記超微粒子粉末鉱石としては、低線量領域の放射線又は／及びＥマイナス電子を発生する斑状花崗閃緑岩及び麦飯石、モナズ石或いはラジウム、酸化トリウム等を含む希土類鉱石等が最適であり、また、遠赤外線を発生する鉱石としてシリカ、電気石、天源石等がある。その他、低線量領域の放射線、遠赤外線又はマイナスイオンを発生する鉱石であればある程度の効果が期待できる。
【００１３】
上記鉱石を１０ｎｍ乃至１００μｍ径の超微粒子粉末となるように粉砕し、該超微粒子粉末状鉱石に糊等の無機系接着剤或いはホルムアルデヒド等の有害物質を含まない有機系接着剤をバインダーとして混合し、ホルミシス効果やマイナスイオン効果を生じる超微粒子粉末鉱石を含む材料を完成させる。該超微粒子粉末鉱石と糊等の無機系接着剤或いは有害物質を含まない有機系接着剤との混合重量比は１：１０乃至４０が選択される。
【００１４】
該超微粒子粉末鉱石を含む材料を壁や天井に貼着するクロス材２又は薄い木材２に付着固定させる手段としては、上記接着剤を含む超微粒子粉末鉱石をスプレーや刷毛等の塗着手段等によりその裏面側に塗布することにより仕上材として完成させることができる。また、予めクロス材２又は薄い木材２の裏面側に接着剤を塗着しておき、その面に超微粒子粉末鉱石を吹き付ける塗着手段も可能である。
【００１５】
上記手段によって超微粒子粉末鉱石をその裏面側に付着固定したクロス材２又は薄い木材２を構築物の壁や天井４の仕上面に貼着することになる。
【００１６】
更に、壁或いは天井４の仕上面に上記と同様に同接着剤を塗布しておき、その塗布面にクロス材２又は薄い木材２を貼着することもできる。
【００１７】
上記構成よりなる構築物の仕上面からは低線量領域の放射線、遠赤外線又はマイナスイオンのいずれか或いはそのいくつかが居室内に放射されることになる。
【実施例２】
【００１８】
図３に示すものは、本考案の他の実施例のもので、上記実施例１同様、低線量領域の放射線、遠赤外線又はマイナスイオンのいずれか或いはそのいくつかを発生する超微粒子粉末鉱石を透明塗料、着色塗料、透明ニス、着色ニス、ワックス等と混合した塗材５を壁や天井６の仕上面に塗着したものである。
【００１９】
上記超微粒子粉末鉱石としては、低線量領域の放射線又は／及びＥマイナス電子を発生する斑状花崗閃緑岩及び麦飯石、モナズ石或いはラジウム、酸化トリウム等を含む希土類鉱石等が最適であり、また、遠赤外線を発生する鉱石としてシリカ、電気石、天源石等がある。その他、低線量領域の放射線、遠赤外線又はマイナスイオンを発生する鉱石であればある程度の効果が期待できる。
【００２０】
上記鉱石を１０ｎｍ乃至１００μｍ径の超微粒子粉末となるように粉砕し、該超微粒子粉末状鉱石に透明塗料、着色塗料、透明ニス、着色ニス、ワックス等の塗材と混合し、ホルミシス効果やマイナスイオン効果を生じる超微粒子粉末鉱石を含む塗材を完成させる。該超微粒子粉末鉱石と上記塗材との混合重量比は１：１０乃至４０が選択される。
【００２１】
該超微粒子粉末鉱石を含む塗材５を壁や天井６にスプレーや刷毛等の塗着手段等により塗布することにより仕上面を完成させることができる。
【００２２】
上記のように、塗材５を壁や天井６に直接塗布することにより、その仕上面からホルミシス効果やマイナスイオン効果が期待できる成分を室内に発生させることが可能となる。
【実施例３】
【００２３】
図４に示すものは、本考案の他の実施例のもので、上記実施例１、２同様、低線量領域の放射線、遠赤外線又はマイナスイオンのいずれか或いはそのいくつかを発生する超微粒子粉末鉱石をセメントと砂とを混ぜて撹拌混合してモルタル７を製造する。該モルタル７、漆喰７、石膏７等を壁や天井８に塗着したものである。
【００２４】
また、同様に、該超微粒子粉末鉱石を消石灰、貝灰、糊、土、砂等と混合した漆喰７を製造する。
【００２５】
同様に、該超微粒子粉末鉱石を石膏と混合した石膏７を製造する。
【００２６】
上記超微粒子粉末鉱石としては、低線量領域の放射線又は／及びＥマイナス電子を発生する斑状花崗閃緑岩及び麦飯石、モナズ石或いはラジウム、酸化トリウム等を含む希土類鉱石等が最適であり、また、遠赤外線を発生する鉱石としてシリカ、電気石、天源石等がある。その他、低線量領域の放射線、遠赤外線又はマイナスイオンを発生する鉱石であればある程度の効果が期待できる。
【００２７】
上記鉱石を１０ｎｍ乃至１００μｍ径の超微粒子粉末となるように粉砕し、該超微粒子粉末状鉱石にモルタル、漆喰、石膏等を混合し、ホルミシス効果やマイナスイオン効果を生じる超微粒子粉末鉱石を含むモルタル、漆喰、石膏等の流動性壁材を完成させる。該超微粒子粉末鉱石とモルタル、漆喰又は石膏等との混合重量比は１：１０乃至４０が選択される。
【００２８】
該超微粒子粉末鉱石を含む上記流動性壁材７を壁や天井８の仕上面に完成させる手段としては、ガンスプレーや鏝等の塗着手段等により塗着することにより仕上面を完成させることができる。
【００２９】
上記のように、流動性壁材７を壁や天井８に直接塗着することにより、その仕上面からホルミシス効果やマイナスイオン効果が期待できる成分を室内に発生させることが可能となる。
【図面の簡単な説明】
【００３０】
【図１】本考案の構築物の断面図。
【図２】本考案の構築物の壁又は天井面に超微粒子粉末鉱石をその裏面側に設けたクロス材又は薄い木材を貼着した断面図。
【図３】本考案の構築物の壁又は天井面に超微粒子粉末鉱石を混合した塗材を塗布した断面図。
【図４】本考案の構築物の壁又は天井面に超微粒子粉末鉱石を混合した流動性壁材を塗着した断面図。
【符号の説明】
【００３１】
１          構築物
２          クロス材
３          接着剤
４          壁及び天井
５          塗材
６          壁及び天井
７          モルタル、漆喰、石膏等の流動性壁材
８          壁及び天井
【図１】
0003133796.tif 000003
【図２】
0003133796.tif 000004
【図３】
0003133796.tif 000005
【図４】
0003133796.tif 000006